(57)【要約】【課題】ユーザの要求に応じて適切に常夜灯を点灯できる照明器具を提供する。【解決手段】照明器具１０は、複数の光源１１４Ａ〜１１４Ｃを備える照明器具１０であって、常夜灯の点灯指示を受け付ける受付部１１５と、受付部１１５が常夜灯の点灯指示を受け付けた場合、複数の光源１１４Ａ〜１１４Ｃのうち一部の光源のみを常夜灯として点灯する制御部１１６とを備え、受付部１１５は、さらに、常夜灯として点灯する光源の切替指示を受け付け、制御部１１６は、さらに、受付部１１５が切替指示を受け付けた場合、複数の光源１１４Ａ〜１１４Ｃのうち、常夜灯として点灯する一部の光源を切り替える。【選択図】図５
2017073320.tif 000002
【特許請求の範囲】
【請求項１】
複数の光源を備える照明器具であって、
常夜灯の点灯指示を受け付ける受付部と、
前記受付部が前記常夜灯の点灯指示を受け付けた場合、前記複数の光源のうち一部の光源のみを前記常夜灯として点灯する制御部とを備え、
前記受付部は、さらに、前記常夜灯として点灯する光源の切替指示を受け付け、
前記制御部は、さらに、前記受付部が前記切替指示を受け付けた場合、前記複数の光源のうち、前記常夜灯として点灯する前記一部の光源を切り替える
照明器具。
【請求項２】
前記受付部は、さらに、調光指示を受け付け、
前記制御部は、さらに、
前記受付部が前記調光指示を受け付けた場合、前記常夜灯として点灯する前記一部の光源の明るさを切り替え、
前記明るさを切り替えた後に、前記受付部が前記切替指示を受け付けた場合、前記複数の光源のうち、前記常夜灯として点灯する前記一部の光源を切り替えるとともに、前記切替指示により切り替えた後の前記一部の光源を、前記調光指示により切り替えた後の明るさで点灯する
請求項１記載の照明器具。
【請求項３】
前記制御部は、
通常点灯時には、前記複数の光源の一部又は全てを第１の明るさで点灯させ、
前記常夜灯として、前記一部の光源を前記第１の明るさより暗い第２の明るさで点灯する
請求項１又は２記載の照明器具。
【請求項４】
前記複数の光源は、互いに異なる方向に光を照射する
請求項１〜３のいずれか１項に記載の照明器具。
【請求項５】
前記複数の光源の各々は、導光板と、当該導光板に光を出射する発光素子とを含む
請求項１〜４のいずれか１項に記載の照明器具。
【発明の詳細な説明】
【技術分野】
【０００１】
本発明は、複数の光源を備える照明器具に関する。
【背景技術】
【０００２】
近年、ＬＥＤ光源を用いたＬＥＤ照明器具が普及しつつある。例えば、特許文献１には、通常点灯モードと、補助点灯モード（常夜灯）とを有し、補助点灯モードでは一部の発光素子を選択的に点灯される照明器具が開示されている。
【先行技術文献】
【特許文献】
【０００３】
【特許文献１】特開２０１２−５９５７３号公報
【発明の概要】
【発明が解決しようとする課題】
【０００４】
このような照明器具においては、ユーザの要求に応じて適切に常夜灯を点灯できることが望まれている。
【０００５】
そこで、本発明は、ユーザの要求に応じて適切に常夜灯を点灯できる照明器具を提供する。
【課題を解決するための手段】
【０００６】
本発明の一態様に係る照明器具は、複数の光源を備える照明器具であって、常夜灯の点灯指示を受け付ける受付部と、前記受付部が前記常夜灯の点灯指示を受け付けた場合、前記複数の光源のうち一部の光源のみを前記常夜灯として点灯する制御部とを備え、前記受付部は、さらに、前記常夜灯として点灯する光源の切替指示を受け付け、前記制御部は、さらに、前記受付部が前記切替指示を受け付けた場合、前記複数の光源のうち、前記常夜灯として点灯する前記一部の光源を切り替える。
【発明の効果】
【０００７】
本発明によれば、ユーザの要求に応じて適切に常夜灯を点灯できる照明器具が実現される。
【図面の簡単な説明】
【０００８】
【図１】図１は、実施の形態１に係る照明器具を下側から見た斜視図である。
【図２】図２は、実施の形態１に係る照明器具を上側から見た斜視図である。
【図３】図３は、実施の形態１に係る照明器具の一部分解斜視図である。
【図４】図４は、実施の形態１に係る発光装置の分解斜視図である。
【図５】図５は、実施の形態１に係る照明器具のブロック図である。
【図６】図６は、実施の形態１に係る点灯回路の回路図である。
【図７】図７は、実施の形態１に係る照明器具の動作モードを示す図である。
【図８】図８は、実施の形態１に係る操作部を示す図である。
【図９】図９は、実施の形態１に係る照明器具の常夜灯時の動作を示すフローチャートである。
【図１０】図１０は、実施の形態１に係る照明器具の動作モードの変形例を示す図である。
【図１１】図１１は、実施の形態２に係る照明器具を下側から見た斜視図である。
【図１２】図１２は、実施の形態２に係る照明器具のブロック図である。
【図１３】図１３は、実施の形態２に係る点灯回路の回路図である。
【発明を実施するための形態】
【０００９】
以下、本発明の実施の形態について、図面を参照しながら具体的に説明する。なお、各図は、模式図であり、必ずしも厳密に図示したものではない。
【００１０】
なお、以下で説明する実施の形態は、いずれも包括的または具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略または簡略化される場合がある。
【００１２】
なお、以下の実施の形態では、シーリングライトとして実現される照明器具について説明する。以下の実施の形態の図面においては、Ｚ軸方向は、例えば鉛直方向であり、Ｚ軸＋側は、上側または天井側と記載される場合がある。また、Ｚ軸−側は、下側または光出射側と記載される場合がある。また、Ｘ軸方向及びＹ軸方向は、Ｚ軸に垂直な平面（水平面）上において、互いに直交する方向である。
【００１３】
また、図面においては、ネジ穴など、同一の機能を有し複数設けられる構造または部材については、１つの構造または部材にのみ符号が付されている場合がある。
【００１４】
（実施の形態１）
［全体構成］
まず、実施の形態１に係る照明器具の構成について詳細に説明する。図１は、実施の形態１に係る照明器具を下側から見た斜視図である。図２は、実施の形態１に係る照明器具を上側から見た斜視図である。図３は、実施の形態１に係る照明器具の一部分解斜視図である。
【００１５】
図１〜図３に示されるように、照明器具１０は、導光板２０ａ〜２０ｃと、第１器具本体４０及び第２器具本体３０からなる器具本体５０と、照明器具用アダプタ６０と、発光装置７０ａ〜７０ｃとを備える。また、照明器具１０は、光源１１４Ａ〜１１４Ｃを備える。また、照明器具１０は、接続部材３５を備える。なお、図１では、照明器具１０の中心軸Ｊも図示されている。
【００１６】
照明器具１０は、天井に取り付けられ、主に下方を照らすシーリングライトである。以下、照明器具１０の各構成要素について詳細に説明する。
【００１７】
照明器具用アダプタ６０は、天井に設けられた引掛シーリングボディ（図示せず）に照明器具１０を取り付けるためのアダプタである。
【００１８】
第１器具本体４０の内部には、商用系統から供給される交流電力を、発光装置７０ａ〜７０ｃを発光させるための直流電力に変換する電源回路（図示せず）が収容される。
【００１９】
電源回路には、商用系統から、引掛シーリングボディ及び照明器具用アダプタ６０を介して交流電力が供給され、照明器具用アダプタ６０と電源回路とは、コネクタつきのケーブル（図示せず）によって電気的に接続される。
【００２０】
第２器具本体３０は、発光装置７０ａ〜７０ｃが取り付けられ、かつ、収容される。第２器具本体３０は、第１器具本体４０の下方に位置する。第２器具本体３０は、具体的には、上側カバー３１と、下側カバー３２とからなる。
【００２１】
接続部材３５は、導光板２０ａ〜２０ｃと、第２器具本体３０と、第１器具本体４０と、発光装置７０ａ〜７０ｃとを接続するための部材である。
【００２２】
導光板２０ａ〜２０ｃは、平面視形状が略六角形（変形六角形）の、板状の光学部材である。導光板２０ａ〜２０ｃは、平面視において、中心軸Ｊを中心とした周方向に並んで配置される。導光板２０ａ〜２０ｃは、透明の部材であるが、透光性を有する部材であればよい。導光板２０ａ〜２０ｃは、例えば、アクリルによって形成されるが、ポリカーボネート、ガラスなどであってもよい。
【００２３】
発光装置７０ａ〜７０ｃは、照明器具１０の光源である。発光装置７０ａ〜７０ｃは、平面視において、中心軸Ｊを中心とした周方向に並んで配置される。平面視において、発光装置７０ａ〜７０ｃの長手方向は、中心軸Ｊを中心とした径方向に沿う方向である。
【００２４】
発光装置７０ａは、上記周方向において導光板２０ａ及び２０ｂの間に位置し、導光板２０ａ及び２０ｂのそれぞれに光を出射する。同様に、発光装置７０ｂは、上記周方向において導光板２０ａ及び２０ｃの間に位置し、導光板２０ａ及び２０ｃのそれぞれに光を出射する。発光装置７０ｃは、上記周方向において導光板２０ｂ及び２０ｃの間に位置し、導光板２０ｂ及び２０ｃのそれぞれに光を出射する。なお、発光装置７０ａ〜７０ｂは、ケーブル（図示せず）によって、第１器具本体４０内の電源回路と電気的に接続され、電源回路から供給される電力を用いて光を出射する。
【００２５】
発光装置７０ａ〜７０ｃは、同様の構成であるため、以下、発光装置７０ａの詳細な構成について図４を用いて説明する。図４は、発光装置７０ａの分解斜視図である。なお、図４では、導光板２０ａも図示されている。
【００２６】
発光装置７０ａは、複数の発光素子７２Ａ及び７２Ｂが設けられた基板７１（発光モジュール）と、ホルダー９０（取り付け部材７３及び前面部材７４）とを有する。
【００２７】
発光素子７２Ａは、白色光を発する表面実装型（Ｓｕｒｆａｃｅ  Ｍｏｕｎｔ  Ｄｅｖｉｃｅ：ＳＭＤ型）のＬＥＤ素子である。発光素子７２Ｂは、電球色の光を発する表面実装型のＬＥＤ素子である。例えば、図４に示すように、発光素子７２Ａと発光素子７２Ｂとは交互に並んで配置されている。
【００２８】
［回路構成］
図５は、本実施の形態に係る照明器具１０の構成を示すブロック図である。図５に示すように、照明器具１０は、電源回路１１０と、点灯回路１１１及び１１２Ａ〜１１２Ｃと、光源１１３及び１１４Ａ〜１１４Ｃと、受付部１１５と、制御部１１６とを備える。
【００２９】
光源１１３は、例えば相関色温度６５００Ｋの光（涼色の光）を放射する１又は複数個の発光素子７２Ａ（発光ダイオード）の直列回路を有する。また、光源１１４Ａ〜１１４Ｃの各々は、例えば相関色温度２７００Ｋの光（暖色の光）を放射する１又は複数個の発光素子７２Ｂ(発光ダイオード)の直列回路を有する。
【００３０】
ここで、図４等に示すように、発光装置７０ａ〜７０ｃの両側面に、発光素子７２Ａ及び７２Ｂが設けられている。光源１１３は、発光装置７０ａ〜７０ｃの両側面に設けられている全ての発光素子７２Ａを含む。光源１１４Ａは、発光装置７０ａの導光板２０ａ側の側面と、発光装置７０ｂの導光板２０ａ側の側面とに設けられている発光素子７２Ｂを含む。光源１１４Ｂは、発光装置７０ａの導光板２０ｂ側の側面と、発光装置７０ｃの導光板２０ｂ側の側面とに設けられている発光素子７２Ｂを含む。光源１１４Ｃは、発光装置７０ｂの導光板２０ｃ側の側面と、発光装置７０ｃの導光板２０ｃ側の側面とに設けられている発光素子７２Ｂを含む。
【００３１】
光源１１３に、発光素子７２Ａの順電圧に発光素子７２Ａの個数を乗じた電圧（以下、駆動電圧という）が印加されることで光源１１３に電流が流れる。これにより、光源１１３が発光（点灯）する。また、光源１１４Ａ〜１１４Ｃの各々に、同様に、発光素子７２Ｂの順電圧に発光素子７２Ｂの個数を乗じた電圧（以下、駆動電圧という。）が印加されることで電流が流れる。これにより、光源１１４Ａ〜１１４Ｃの各々が発光（点灯）する。
【００３２】
電源回路１１０は、例えば、昇圧チョッパ回路を含み、商用の交流電源１０２から供給される交流電圧を昇圧することで、当該交流電圧よりも高い直流電圧Ｖ１を生成する。
【００３３】
点灯回路１１１は、電源回路１１０から出力される直流電圧Ｖ１を所望の電圧値の直流電圧（光源１１３の駆動電圧）まで降圧するスイッチング電源回路を有する。また、点灯回路１１２Ａ〜１１２Ｃの各々は、電源回路１１０から出力される直流電圧Ｖ１を所望の電圧値の直流電圧（光源１１４Ａ〜１１４Ｃの駆動電圧）まで降圧するスイッチング電源回路を有する。
【００３４】
図６は、点灯回路１１１及び光源１１３の構成を示す回路図である。
【００３５】
点灯回路１１１は、降圧チョッパ回路と、降圧チョッパ回路を駆動する駆動回路１３１とを含む。降圧チョッパ回路は、ダイオードＤ１と、スイッチング素子Ｑ１と、抵抗Ｒ１と、平滑コンデンサＣ１と、インダクタＬ１とを含む。
【００３６】
ダイオードＤ１のカソードは、電源回路１１０の正極側の出力端子に接続されている。ダイオードＤ１のアノードと電源回路１１０の負極側の出力端子との間にスイッチング素子Ｑ１及び抵抗Ｒ１が直列に接続されている。
【００３７】
また、ダイオードＤ１のカソードとアノードとの間には、電解コンデンサである平滑コンデンサＣ１及びインダクタＬ１が直列に接続されている。平滑コンデンサＣ１の両端には放電用の抵抗Ｒ２が接続されている。
【００３８】
さらに、平滑コンデンサＣ１の両端間には、光源１１３の複数の発光素子７２Ａが直列に接続されている。なお、図６では２つの発光素子７２Ａを記載しているが、発光素子７２Ａの数は任意でよい。
【００３９】
上述のように構成される降圧チョッパ回路では、スイッチング素子Ｑ１が高周波でスイッチングされることにより、入力電圧Ｖ１が降圧された直流電圧が平滑コンデンサＣ１の両端から光源１１３に出力される。
【００４０】
また、駆動回路１３１は、制御部１１６から与えられる制御信号Ｓ１に応じてスイッチング素子Ｑ１をスイッチングする。
【００４１】
なお、点灯回路１１２Ａ〜１１２Ｃの構成は、例えば、点灯回路１１１と同様である。ただし、点灯回路１１１の出力電圧範囲と、点灯回路１１２Ａ〜１１２Ｃの出力電圧範囲とが異なる場合には、回路パラメータ等が異なる。また、点灯回路１１１及び１１２Ａ〜１１２Ｃの各々には、制御部１１６から互いに異なる制御信号Ｓ１〜Ｓ４が入力される。これにより、点灯回路１１１及び１１２Ａ〜１１２Ｃの各々が独立して制御されることで、光源１１３及び１１４Ａ〜１１４Ｃの各々の点灯、消灯及び調光等が独立して制御される。
【００４２】
制御部１１６は、マイクロコンピュータ及びメモリ（例えばＲＯＭ又はＲＡＭ等）などのハードウェアと、マイクロコンピュータで実行されるプログラム（ソフトウェア）が保存されている記憶部（例えばＲＯＭ）とを含む。そして、以下に説明する制御部１１６の動作（処理）は、マイクロコンピュータがプログラムを実行することで実現される。なお、制御部１１６の動作電源は、図示しない電源回路により電源回路１１０の出力電圧Ｖ１から作成される。
【００４３】
受付部１１５は、操作部１０１から送信される赤外線信号を受信（受光）し、受信した赤外線信号から復調し、復調により得られた制御コードを制御部１１６に出力する。そして、制御部１１６は、制御コード（調光指令又は調色指令）に対応した調光比又は調色比になるように、点灯回路１１１及び１１２Ａ〜１１２Ｃを制御する。
【００４４】
操作部１０１は、例えば、リモートコントローラである。なお、操作部１０１から送信される信号は赤外線信号に限らず、電波を媒体とする無線信号又は信号線を介した電気信号であってもよい。
【００４５】
［動作］
図７は、本実施の形態に係る照明器具１０における動作モードを示す図である。照明器具１０は、通常点灯モードと常夜灯モードとを有する。通常点灯モードは、光源１１３のみが点灯され、白色光が放射されるモード（図７の（ａ））と、光源１１４Ａ〜光源１１４Ｃが点灯され、電球色の光が放射されるモード（図７の（ｂ））と、光源１１３及び１１４Ａ〜１１４Ｃの全てが点灯されるモード（図７の（ｃ））とを含む。さらに、通常点灯モードは、光源１１４Ａ〜１１４Ｃのうち２つの光源を点灯するモード（図７の（ｄ）〜（ｆ））と、光源１１４Ａ〜１１４Ｃのうち１つの光源を点灯するモード（図７の（ｇ）〜（ｉ））とを含む。また、光源１１４Ａ〜１１４Ｃのうちどの光源を点灯するかを切り替え可能である。
【００４６】
さらに、各モードにおいて各光源の明るさを調整可能である。なお、光源１１３及び１１４Ａ〜１１４Ｃの全てが点灯されるモード（図７の（ｃ））では、光源１１３の明るさと、光源１１４Ａ〜１１４Ｃの明るさの比率が調整可能である。
【００４７】
なお、制御部１１６は、点灯回路１１１及び１１２Ａ〜１１２Ｃのスイッチング電源回路を間欠動作させ、かつ、間欠動作の周期に対する動作期間（オン期間）のデューティ比を調整することで、光源１１３及び１１４Ａ〜１１４Ｃの光出力を調整（調光）する。
【００４８】
また、常夜灯モードでは、光源１１４Ａ〜１１４Ｃのうち１つの光源のみが点灯される（図７の（ｊ）〜（ｌ））。また、光源１１４Ａ〜１１４Ｃのうちどの光源を点灯するかを切り替え可能である。また、常夜灯モードにおいても、光源の明るさを調整可能である。
【００４９】
さらに、常夜灯モードでは、通常点灯モードよりも光源が暗く点灯される。例えば、通常モードでは、最小値Ｌ０から最大値Ｌ１まで調光可能であり、常夜灯モードでは、最小値Ｌ２から最大値Ｌ３まで調光可能であるとすると、最大値Ｌ３は、最小値Ｌ０以下である。なお、通常モードにおける光源の明るさの調整可能範囲と、常夜灯モードにおける光源の明るさの調整可能範囲との一部が重なってもよい。
【００５０】
以下、照明器具１０に対する操作例を説明する。
【００５１】
図８は、操作部１０１の一例を示す図である。図８に示すように、操作部１０１は、リモートコントローラであり、複数の操作ボタンを備える。具体的には、操作部１０１は、点灯ボタン、消灯ボタン、常夜灯ボタン、切替ボタン、調光ボタン（明、暗）、及び調色ボタン（白、暖）を備える。
【００５２】
ユーザが、点灯ボタンを押すと、通常点灯モードで点灯が行われる。例えば、前回の消灯直前の状態と同じ状態で照明器具１０が点灯する。この状態において、ユーザが切替ボタンを押すごとに、点灯する光源の数及び位置が順次切り替える。例えば、切替ボタンが押されるごとに、図７の（ｂ）、（ｄ）、（ｅ）、（ｆ）、（ｇ）、（ｈ）、（ｉ）の順に状態が切り替わり、状態（ｉ）において、切替ボタンが押されることで、再度状態（ｂ）に戻る。
【００５３】
また、通常点灯モードにおいて、調光ボタンが操作されることで、光源の照度（明るさ）が変更される。また、調色ボタンが押されることで、白色光と電球色の光との割合（調色比）が変更される。
【００５４】
次に、常夜灯モード時の操作及び動作例を説明する。図９は、照明器具１０の常夜灯モードの動作を示すフローチャートである。
【００５５】
まず、制御部１１６は、所定の周期で、常夜灯モードへの切替指示を受け付けたかを判定する（Ｓ１０１）。例えば、操作部１０１の常夜灯ボタンが押された場合、操作部１０１は、常夜灯モードへの切替指示を照明器具１０に送信する。
【００５６】
制御部１１６は、常夜灯モードへの切替指示を受け付けた場合（Ｓ１０１でＹｅｓ）、光源１１４Ａ〜１１４Ｃのうち一部の光源のみを低照度で点灯する（Ｓ１０２）。例えば、前回の常夜灯の消灯時又は常夜灯から通常点灯への切替時の状態と同じ状態で一部の光源のみが点灯される。ここで、状態とは、点灯する光源の位置、及び明るさである。
【００５７】
次に、制御部１１６は、所定の周期で、消灯指示又は通常点灯指示を受け付けたか（Ｓ１０３）、調光指示を受け付けたか（Ｓ１０４）、切替指示を受け付けたか（Ｓ１０６）を判定する。例えば、操作部１０１の消灯ボタンが押された場合、操作部１０１は、消灯指示を照明器具１０に送信する。また、点灯ボタンが押された場合、操作部１０１は、通常点灯指示を照明器具１０に送信する。また、常夜灯時において、常夜灯ボタンが再度押された場合、操作部１０１は、切替指示を照明器具１０に送信する。
【００５８】
制御部１１６は、消灯指示又は通常点灯指示を受け付けた場合（Ｓ１０３でＹｅｓ）、消灯又は通常点灯モードへの切り替えを行い（Ｓ１０８）、再度、ステップＳ１０１に進む。
【００５９】
一方、制御部１１６は、調光指示を受け付けた場合（Ｓ１０４でＹｅｓ）、光源の明るさを変更する（Ｓ１０５）。例えば、操作部１０１の調光ボタンが押された場合、操作部１０１は、調光指示を照明器具１０に送信する。
【００６０】
また、制御部１１６は、切替指示を受け付けた場合（Ｓ１０６でＹｅｓ）、点灯する光源を切り替える（Ｓ１０７）。例えば、操作部１０１の常夜灯ボタンが押されるたびに、点灯する光源が予め定められた順序で、順次切り替わる。また、この時、切り替え後の光源は、切り替え前の光源の明るさと同じ明るさで点灯する。
【００６１】
なお、図９に示す処理の順序は一例であり、これに限定されない。例えば、判定処理（Ｓ１０３、Ｓ１０４及びＳ１０６）の順序は任意でよく、一部が同時に行われてもよい。
【００６２】
また、ここで示す操作方法は一例であり、操作部１０１が備える操作ボタンの数及び種類は任意でよい。例えば、複数の光源と一対一で対応する複数の操作ボタンが設けられており、ある光源に対応する操作ボタンが押された場合に、当該光源が点灯してもよい。
【００６３】
（効果）
以上のように、本実施の形態に係る照明器具１０は、複数の光源１１４Ａ〜１１４Ｃを備える照明器具であって、常夜灯の点灯指示を受け付ける受付部１１５と、受付部１１５が常夜灯の点灯指示を受け付けた場合、複数の光源１１４Ａ〜１１４Ｃのうち一部の光源のみを常夜灯として点灯する制御部１１６とを備える。ここで、一部の光源とは予め定められた数の光源であり、例えば、一つの光源である。受付部１１５は、さらに、常夜灯として点灯する光源の切替指示を受け付ける。制御部１１６は、さらに、受付部１１５が切替指示を受け付けた場合、複数の光源１１４Ａ〜１１４Ｃのうち、常夜灯として点灯する一部の光源を切り替える。
【００６４】
つまり、照明器具１０は、常夜灯時に点灯する光源を切り替える機能を有する。これにより、照明器具１０は、常夜灯を適切に点灯できるので、ユーザの利便性を向上できる。
【００６５】
例えば、ユーザが就寝時等に、より暗い状況を好む場合には、ユーザと逆側の光源を点灯させることで、ユーザはより暗く感じることができる。または、ユーザは、出入り口付近がより明るくなるように、又は、時計等が設置されている場所がより明るくなるように、点灯する光源を設定できる。
【００６６】
また、受付部１１５は、さらに、調光指示を受け付ける。制御部１１６は、さらに、受付部１１５が調光指示を受け付けた場合、常夜灯として点灯する一部の光源の明るさを切り替え、明るさを切り替えた後に、受付部１１５が切替指示を受け付けた場合、複数の光源１１４Ａ〜１１４Ｃのうち、常夜灯として点灯する一部の光源を切り替えるとともに、切替指示により切り替えた後の一部の光源を、調光指示により切り替えた後の明るさで点灯する。
【００６７】
つまり、常夜灯時に点灯される光源が切り替えられた場合でも、切り替え前の明るさが維持される。これにより、ユーザの利便性を向上できる。
【００６８】
また、制御部１１６は、通常点灯時には、複数の光源１１４Ａ〜１１４Ｃの一部又は全てを第１の明るさで点灯させ、常夜灯として、複数の光源１１４Ａ〜１１４Ｃのうちの一部の光源を第１の明るさより暗い第２の明るさで点灯する。
【００６９】
つまり、通常点灯時と常夜灯時とで同じ光源が用いられる。これにより、常夜灯専用の光源を用いる場合に比べ、光源の数を低減できるというメリットがある。一方で、このような場合には、点灯回路が非常に広い範囲の明るさに対応する必要があるため、点灯回路等の構成が複雑化するという課題がある。
【００７０】
また、複数の光源１１４Ａ〜１１４Ｃは、互いに異なる方向に光を照射する。このように、複数の光源１１４Ａ〜１１４Ｃの出射方向（出射角度）が異なる構成では、点灯する光源とユーザとの位置関係に応じて、ユーザが感じる明るさが異なる。例えば、ユーザが就寝中において、当該ユーザと逆側の光源が点灯している場合、ユーザ側の光源が点灯している場合に比べてユーザは暗く感じる。これにより、点灯回路が対応できる明るさの下限値が同じ場合であっても、ユーザにより暗い情報を提供できる。その結果、点灯回路が対応する明るさの下限値を増加させることができるので、点灯回路の複雑化を低減できる。
【００７１】
また、図１〜図４に示すように、複数の光源１１４Ａ〜１１４Ｃの各々は、導光板２０ａ、２０ｂ又は２０ｃと、当該導光板２０ａ、２０ｂ又は２０ｃに光を出射する発光素子７２Ｂとを含む。具体的には、照明器具１０は、円周方向に並んで配置された、長尺状の複数の発光装置７０ａ〜７０ｃと、円周方向において隣接する２つの発光装置の間の各々に配置された導光板２０ａ〜２０ｃとを備える。複数の発光装置７０ａ〜７０ｃの各々は、長手方向が径方向に沿うように配置され、かつ、円周方向において当該発光装置を挟む二つの導光板の一方に光を出射する発光素子７２Ｂと、当該二つの導光板の他方に光を出射する発光素子７２Ｂとを含む。例えば、図１〜図４に示すように、発光装置７０ａは、導光板２０ａ側に配置され、当該導光板２０ａに光を出射する複数の発光素子７２Ｂと、導光板２０ｂ側に配置され、当該導光板２０ｂに光を出射する複数の発光素子７２Ｂとを含む。また、複数の光源１１４Ａ〜１１４Ｃの各々は、対応する一つの導光板と、当該導光板に光を出射する発光素子７２Ｂとを含む。例えば、光源１１４Ａは、導光板２０ａと、発光装置７０ａの導光板２０ａ側に配置された複数の発光素子７２Ｂと、発光装置７０ｂの導光板２０ａ側に配置された複数の発光素子７２Ｂとを含む。
【００７２】
このような構成では、発光素子７２Ｂから光が水平方向に出射されるため、点灯される光源の位置に応じたユーザの感じる明るさの変化がより顕著となる。よって、このような構成に本発明を適用することで、ユーザの感じる明るさをより制御できる。
【００７３】
（変形例）
上記説明では、操作部１０１が複数の操作ボタンを備える例を述べたが、操作部１０１は、タッチパネル等を備えてもよいし、音声入力等が用いられてもよい。また、操作部１０１は、照明器具１０に専用のリモートコントローラに限らず、スマートフォン等であってもよい。
【００７４】
また、照明器具１０は、例えば、タイマー機能など、上記で説明した機能以外の機能を有してもよい。
【００７５】
また、上記説明では、照明器具１０は、白色光を照射する光源（光源１１３）を備えているが、備えなくてもよい。また、照明器具１０は、白色光を照射する光源を複数備え、光源１１４Ａ〜１１４Ｃと同様に、白色光の光源の一部のみを点灯する機能を有してもよい。
【００７６】
また、上記説明では、常夜灯時に用いられる光源の数が３個の場合を説明したが、光源の数は２以上であればよい。
【００７７】
また、上記説明では、常夜灯時に一つの光源のみが点灯される例を述べたが、通常点灯時に用いられる複数の光源のうち一部の光源のみが点灯すればよい。例えば、図１０に示すように、常夜灯時に２個の光源が点灯してもよい。
【００７８】
（実施の形態２）
上記実施の形態１では、通常点灯時と常夜灯点灯時とで同じ光源を用いる例を説明した。本実施の形態では、常夜灯専用の光源を備える照明器具について説明する。
【００７９】
図１１は、本実施の形態に係る照明器具１０Ａの構成を示す図である。図１２は、本実施の形態に係る照明器具１０Ａのブロック図である。
【００８０】
図１１及び図１２に示す照明器具１０Ａは、実施の形態１に係る照明器具１０の構成に加え、電源回路１２０と、点灯回路１２１Ａ〜１２１Ｃと、光源１２２Ａ〜１２２Ｃとを備える。
【００８１】
光源１２２Ａ〜１２２Ｃは、常夜灯時に点灯され、１又は複数個の発光素子７２Ｃの直列回路を有する。例えば、図１１に示すように、光源１２２Ａ〜１２２Ｃは、第１器具本体４０の側面に設けられる。なお、光源１２２Ａ〜１２２Ｃが設けられる位置は一例であり、任意の位置に設けられてよい。
【００８２】
なお、実施の形態１では、光源１１４Ａ〜１１４Ｃは、通常点灯時及び常夜灯時の両方で用いられていたが、本実施の形態では、光源１１４Ａ〜１１４Ｃは、通常点灯時のみに用いられる。
【００８３】
電源回路１２０は、商用の交流電源１０２から供給される交流電圧を直流電圧Ｖ２に変換する。この直流電圧Ｖ２は、点灯回路１２１Ａ〜１２１Ｃに供給される。なお、この直流電圧は、照明器具１０Ａ内の図示しないアナログ回路等へも供給される。
【００８４】
点灯回路１２１Ａ〜１２１Ｃは、電源回路１２０から出力される直流電圧Ｖ２を所望の電圧値の直流電圧（光源１２２Ａ〜１２２Ｃの駆動電圧）まで降圧するスイッチング電源回路を有する。
【００８５】
図１３は、点灯回路１２１Ａ及び光源１２２Ａの構成を示す回路図である。なお、点灯回路１２１Ｂ及び１２１Ｃ、並びに光源１２２Ｂ及び１２２Ｃの構成は、点灯回路１２１Ａ及び光源１２２Ａの構成と同様である。
【００８６】
点灯回路１２１Ａは、スイッチング素子Ｑ２及びＱ３と、抵抗Ｒ４〜Ｒ６と、ダイオードＤ１と、コンデンサＣ２とを含む。
【００８７】
ダイオードＤ２のカソードは、抵抗Ｒ６を介して電源回路１２０の正極側の出力端子に接続されている。ダイオードＤ２のアノードと電源回路１２０の負極側の出力端子（ＧＮＤ）との間にスイッチング素子Ｑ３が接続されている。
【００８８】
また、ダイオードＤ２のカソードとアノードとの間には、光源１２２Ａの複数の発光素子７２Ｃが直列に接続されている。なお、図１３では２つの発光素子７２Ｃを記載しているが、発光素子７２Ｃの数は任意でよい。
【００８９】
電源回路１２０の負極側の出力端子（ＧＮＤ）とスイッチング素子Ｑ３のベースとの間にコンデンサＣ２及び抵抗Ｒ５が並列に接続されている。また、スイッチング素子Ｑ３のベースは抵抗Ｒ４を介してスイッチング素子Ｑ２に接続されている。また、スイッチング素子Ｑ２には、制御部１１６からの制御信号Ｓ５と、電圧Ｖ３とが印加される。ここで、電圧Ｖ３は、例えば、制御部１１６の電源として用いられている電圧であり、電圧Ｖ２よりも低い電圧である。
【００９０】
また、点灯回路１２１Ａ〜１２１Ｃの各々には、制御部１１６から互いに異なる制御信号Ｓ５〜Ｓ７が入力される。これにより、点灯回路１２１Ａ〜１２１Ｃの各々が独立して制御されることで、光源１２２Ａ〜１２２Ｃの各々が独立して制御される。
【００９１】
また、本実施の形態では、常夜灯モードでは、光源１２２Ａ〜１２２Ｃのうち１つの光源のみが点灯される。また、光源１２２Ａ〜１２２Ｃのうちどの光源を点灯するかを切り替え可能である。また、常夜灯モードにおいても、光源の明るさを調整可能である。
【００９２】
以上のように、本実施の形態に係る照明器具１０Ａは、常夜灯時に点灯する光源を切り替える機能を有する。これにより、照明器具１０Ａは、常夜灯を適切に点灯できるので、ユーザの利便性を向上できる。
【００９３】
また、実施の形態１と比較し、照明器具１０Ａは、常夜灯専用の光源を備えるので、点灯回路の設計を容易に行うことができるという利点がある。一方で、実施の形態１に係る照明器具１０は、通常点灯時と常夜灯時とで同じ光源を用いることで光源の数を低減できるというメリットがある。
【００９４】
なお、ここでは、常夜灯時に用いられる光源の数が３個の場合を説明したが、光源の数は２以上であればよい。また、常夜灯時に用いられる光源の数と、通常点灯時に用いられる光源の数とは同じであってもよし、異なってもよい。例えば、通常点灯時には一つの光源のみが用いられてもよい。
【００９５】
また、上記実施の形態では、本発明をシーリングライトとして実現する例について説明した。しかしながら、本発明は、シーリングライト以外の他の照明器具に適用されてもよい。つまり、上記実施の形態は、常夜灯時に用いられる複数の光源を備える照明器具に適用できる。
【００９６】
また、上記実施の形態では、いわゆるＳＭＤ型の発光モジュールが用いられる例を述べたが、発光素子の態様は特に限定されるものではない。例えば、ＣＯＢ（Ｃｈｉｐ  Ｏｎ  Ｂｏａｒｄ）型の発光モジュールが用いられてもよい。また、有機ＥＬ素子（ＯＬＥＤ）または無機ＥＬ素子等のＬＥＤ以外の固体発光素子が用いられてもよい。
【００９７】
以上、一つまたは複数の態様に係る照明器具について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９８】
１０  照明器具
２０ａ、２０ｂ、２０ｃ  導光板
７２Ｂ  発光素子
１１４Ａ、１１４Ｂ、１１４Ｃ  光源
１１５  受付部
１１６  制御部
【図１】
2017073320.tif 000003
【図２】
2017073320.tif 000004
【図３】
2017073320.tif 000005
【図４】
2017073320.tif 000006
【図５】
2017073320.tif 000007
【図６】
2017073320.tif 000008
【図７】
2017073320.tif 000009
【図８】
2017073320.tif 000010
【図９】
2017073320.tif 000011
【図１０】
2017073320.tif 000012
【図１１】
2017073320.tif 000013
【図１２】
2017073320.tif 000014
【図１３】
2017073320.tif 000015